(57)【要約】【課題】ローテーション表示において無駄な処理を削減できる車載機器を提供する。【解決手段】車載機器本体２０にバス１１ｂで接続され、車載機器本体２０側から電源供給を受けて動作し、車載機器本体２０との間で通信を可能としたデバイス１０を備え、車載機器本体２０は、デバイス１０を接続したときの接続モードを含む各種のモードを備えると共に、ユーザの操作に応じて各種のモードをローテーション表示する表示部２５ａを備え、接続モードの異常が発生した場合、初回のローテーション表示時には、接続モードの表示と共に、エラー表示を行い、次回以降のローテーション表示時には、接続モードの表示を飛ばしてローテーション表示する制御部２６を備えた。【選択図】図１
2012025214.tif 000002
【特許請求の範囲】
【請求項１】
車載機器本体にバスで接続され、前記車載機器本体側から電源供給を受けて動作し、前記車載機器本体との間で通信を可能としたデバイスを備え、前記車載機器本体は、前記デバイスを接続したときの接続モードを含む各種のモードを備えると共に、ユーザの操作に応じて各種のモードをローテーション表示する表示部を備え、前記接続モードの異常が発生した場合、初回のローテーション表示時には、前記接続モードの表示と共に、エラー表示を行い、次回以降のローテーション表示時には、前記接続モードの表示を飛ばしてローテーション表示する制御部を備えたことを特徴とする車載機器。
【請求項２】
前記接続モードの異常が、前記バスの異常かデバイスコントローラの異常かを判断し、初回のローテーション表示時には、異常の種類に応じて異なる形態のエラー表示を行うことを特徴とする請求項１に記載の車載機器。
【請求項３】
ＡＣＣ電源オン毎に、初回のローテーション表示時に、前記エラー表示を行うことを特徴とする請求項１又は２に記載の車載機器。
【発明の詳細な説明】
【技術分野】
【０００１】
本発明は、車載機器に係り、特に車載機器本体から電源供給を受けて動作し、車載機器本体との間で通信を可能とした、例えばＵＳＢ（Universal Serial Bus）接続型のデバイスを、車載機器本体にＵＳＢ接続ケーブル（以下、バスケーブルという。）で接続可能とした車載機器に関する。
【背景技術】
【０００２】
従来から、ハードディスク装置等の記憶装置を備え、ハードディスク装置等に記憶された、例えば音楽ファイル等を再生して音響出力を行う車載機器が知られている。この種のものでは、ＵＳＢ（Universal Serial Bus）接続型のフラッシュメモリを外部記憶装置として接続可能に構成し、ＵＳＢメモリに記憶された音楽ファイルを再生して音響出力を行うようにしたものがある。また、車載機器とＵＳＢ接続型の携帯型音楽再生装置とを接続可能に構成し、車載機器の制御下で、携帯型音楽再生装置に音楽ファイルの再生を行わせ、再生された音楽ファイルに基づいて車内に音響出力を行うように構成されたものも知られている（例えば、特許文献１参照）。
この種の車載機器は、一般に、ラジオ再生モード、ＣＤ再生モード等を備え、そのほかに、ＵＳＢ接続時のＵＳＢモード、外部機器接続時のＡＵＸモード等を備え、車載機器の表示画面が小さい場合、上記各種モードを、その表示画面に上記順にローテーション表示してユーザの便に供することがある。
【０００３】
ところで、ＵＳＢ接続型の場合、接続されるデバイスは、車載機器本体から電源供給を受けて動作し、車載機器本体との間では双方向通信が実行される。このとき、デバイスがバスケーブルで接続されると、バスケーブルには、一般に、５Ｖ程度のバスパワーが存在し、この５Ｖは構造上、バスケーブルのコネクタ端子に露出するため、特にショートし易い状態にある。ＵＳＢ接続型の場合、規格上５００ｍＡまでの電流制限があり、例えばバスケーブルに異常が発生し、これを越えた場合、５Ｖの電源供給を止め、例えば上記表示画面にエラー表示する構成が提案されている。
【先行技術文献】
【特許文献】
【０００４】
【特許文献１】特開２００６−２８７３７９号公報
【発明の概要】
【発明が解決しようとする課題】
【０００５】
しかしながら、従来の構成において、５Ｖの電源供給を止めると、ＵＳＢモードはデバイスを制御できず、エラー中、ＵＳＢモードは事実上不必要なモードとなる。それにも拘わらず、上記の例では、各種モードを絶えずローテーション表示するため、ＣＤ再生モードからＵＳＢモードに遷移する処理が無駄になるという問題があった。
そこで、本発明の目的は、上述した従来の技術が有する課題を解消し、ローテーション表示において、無駄な処理を削減できる車載機器を提供することにある。
【課題を解決するための手段】
【０００６】
上記課題を解決するため、本発明は、車載機器本体にバスで接続され、前記車載機器本体側から電源供給を受けて動作し、前記車載機器本体との間で通信を可能としたデバイスを備え、前記車載機器本体は、前記デバイスを接続したときの接続モードを含む各種のモードを備えると共に、ユーザの操作に応じて各種のモードをローテーション表示する表示部を備え、前記接続モードの異常が発生した場合、初回のローテーション表示時には、前記接続モードの表示と共に、エラー表示を行い、次回以降のローテーション表示時には、前記接続モードの表示を飛ばしてローテーション表示する制御部を備えた。
この発明では、ユーザは、初回の操作に限って、接続モードに異常が発生していることを、上記のエラー表示によって確認できる。そして、初回を除いた次回以降のローテーション表示時には、使用できない接続モードを飛ばしてローテーション表示するため、ユーザは、選択したいモードを迅速に選択でき、使い勝手が向上する。
【０００７】
前記接続モードの異常が、前記バスの異常かデバイスコントローラの異常かを判断し、初回のローテーション表示時には、異常の種類に応じて異なる形態のエラー表示を行うようにしてもよい。
接続モードの異常の種類に応じて、エラー表示の形態を異ならせるため、ユーザは、異常の種類を容易に認識できる。
ＡＣＣ電源オン毎に、初回のローテーション表示時に、前記エラー表示を行うようにしてもよい。
前記異常が制御部に記憶され、一旦、ＡＣＣ電源オフの後、再度、ＡＣＣ電源をオンしたときには、接続モードを飛ばしてローテーション表示する機能がリセットされて、その後の初回のローテーション表示時に、前記エラー表示を行うため、ユーザは、改めて異常を認識できる。
【発明の効果】
【０００８】
本発明では、ユーザは、初回の操作に限って、接続モードに異常が発生していることを、上記のエラー表示によって確認できる。そして、初回を除いた次回以降のローテーション表示時には、使用できない接続モードを飛ばしてローテーション表示するため、ユーザは、選択したいモードを迅速に選択でき、使い勝手が向上する。
【発明を実施するための最良の形態】
【０００９】
以下、本発明の一実施の形態を添付の図面を参照して説明する。
図１において、１００は車載機器を示し、車載機器１００は車載機器本体２０を備えている。車載機器本体２０は、例えば音楽ファイルを記憶する記憶媒体を有する複数種類のＵＳＢ機器（デバイス）１０を接続して使用することができ、ＵＳＢ機器１０に記憶された音楽ファイル、あるいは、ＵＳＢ機器１０において再生された音楽ファイルに基づいて、車内（図示略）に設置されたスピーカ３０から音響信号を出力可能に構成している。
【００１０】
本実施の形態では、車載機器本体２０に接続可能なＵＳＢ機器（携帯型機器）１０として、ＵＳＢメモリ１１、２種類の携帯型音楽再生装置１２、１３を例に挙げて説明する。これらのＵＳＢ機器１０はいずれもＵＳＢ接続端子１１ａ、１２ａ、１３ａを備え、バスケーブル１１ｂ、１２ｂ、１３ｂを介して、車載機器本体２０に物理的および電気的に接続されるもので、所定の接続手順に従って車載機器本体２０と論理的に接続される。
ＵＳＢメモリ１１は、ＵＳＢ接続端子１１ａを有するフラッシュメモリの他、ＵＳＢ規格において定義されるマスストレージクラスに準拠したデバイスであればどのようなデバイスであってもよい。但し、ＵＳＢメモリ１１には、音楽ファイルが記憶されているものとして以下説明する。また、音楽ファイルはＭＰ３、ＷＭＡ、ＡＡＣ，ＡＴＲＡＣ、ＯＧＧなどの所定の圧縮形式（ファイル形式）により圧縮されて記憶されているものとする。
ＵＳＢメモリ１１が車載機器本体２０に接続された場合、車載機器本体２０はマスストレージクラスに準拠した接続手順（以下、Ａ方式の接続手順）で、ＵＳＢメモリ１１との論理的接続を行う。但し、車載機器本体２０はＵＳＢマスストレージクラスに準拠したドライバソフト（接続手順）を有しており、このドライバソフトに規定される手順に従って、ＵＳＢメモリ１１内に記憶された音楽ファイルを車載機器本体２０の制御の下、車載機器本体２０に対して転送する。また、ＵＳＢメモリ１１内の音楽ファイルを再生する再生制御手順をＡ方式の再生制御手順とし、車載機器本体２０はＵＳＢメモリ１１から転送された音楽ファイルをこのＡ方式の再生制御手順に従って再生する。
【００１１】
一方、携帯型音楽再生装置１２、１３はそれぞれＵＳＢ接続端子１２ａ、１３ａを備え、図示しない音楽ファイルを記憶する記憶媒体、音楽ファイルを再生する再生部等を有している。音楽ファイルはＭＰ３、ＷＭＡ、ＡＡＣ、ＡＴＲＡＣ、ＯＧＧなどの所定の圧縮形式により圧縮されて記憶媒体に記憶されており、車載機器本体２０の制御の下、指定された音楽ファイルを再生して車載機器本体２０に再生された音楽ファイルを転送するように構成されている。また、携帯型音楽再生装置１２、１３の記憶媒体に記憶されたこれらの音楽ファイルは、デジタル著作権管理（ＤＲＭ：Digital Rights Management）技術により、所定の暗号化処理等が施された上で、車載機器本体２０に転送される。各携帯型音楽再生装置１２、１３ではそれぞれ異なるＤＲＭ技術を採用している。例えば、一方の携帯型音楽再生装置１２はＢ方式のＤＲＭ技術が採用されており、他方の携帯型音楽再生装置１３はＣ方式のＤＲＭ技術が採用されており、ホスト機器としての車載機器本体２０には各携帯型音楽再生装置１２、１３のＤＲＭ技術に対応する所定の音楽ファイル再生制御用プログラム（ソフト）を用いて、所定の接続手順に従って携帯型音楽再生装置１２、１３と認証処理を行い、認証に成功しなければ、携帯型音楽再生装置１２、１３と論理的に接続することは出来ず、また、音楽ファイルの再生制御を行うことができない。
【００１２】
一方、車載機器本体２０は、ＵＳＢ機器１０を接続するためのＵＳＢ接続部（接続部）２１と、ＵＳＢ接続部２１を介してＵＳＢ機器１０（主としてＵＳＢメモリ１１）から転送された音楽ファイルの伸張処理等を行う音楽再生部２２と、音楽再生部２２において再生されたデジタル信号としての音響信号に対して音質調整処理、音量調整処理等の各種処理を施すオーディオＤＳＰ２３と、オーディオＤＳＰにおいて各種処理が施されたデジタル信号としての音響信号をアナログ信号に変換するＤ／Ａコンバータ２４ａおよびアナログ信号としての音響信号を増幅してスピーカ３０に出力するアンプ２４ｂとを有する音声出力部２４とを備えている。
上記のＵＳＢ接続部２１は、更に、ＵＳＢ機器１０が有するＵＳＢ接続端子１１ａ、１２ａ、１３ａとの間で、バスケーブル１１ｂ、１２ｂ、１３ｂを介して、物理的に接続するためのＵＳＢコネクタ２１ａと、ＵＳＢ規格において定義されるＵＳＢの物理層、論理層の制御を行う制御ＬＳＩ（Large Scale Integration）であるＵＳＢコントローラ２１ｂとを備えている。また、上記の音楽再生部２２は、圧縮された音楽ファイルの伸張処理等を行うデコーダ２２ａと、デコーダ２２ａが伸張処理等を実行するために用いる動作用メモリであるＤＲＡＭ２２ｂとを備えている。
【００１３】
車載機器本体２０は、上述の構成に加えて、更に、操作内容や各種情報を表示するとともにユーザからの操作入力を受け付ける操作表示部２５と、当該車載機器本体２０の各部を制御する制御部２６とを備えている。操作表示部２５は、車載機器本体２０から出力される各種データに従って、操作内容や各種情報を表示するディスプレイ装置２５ａと、ユーザにより押下操作される操作キー２５ｂ等の操作手段と、ディスプレイ装置２５ａの表示制御や上記操作手段を介して入力される操作信号を制御部２６に出力する表示／操作キー制御部２５ｃとを備えている。
【００１４】
制御部２６は、図示しないＣＰＵ、ＲＡＭ、ＲＯＭ等を備え、制御部２６において、ＣＰＵはＲＯＭ等に記憶された各種制御プログラムに従ってＲＡＭの一部を作業領域として各種演算を行うことにより、これらの協働の下、各種処理を実行する。制御部２６は、ＲＯＭ等に記憶された各種制御プログラムに従った処理を実行することにより、車載機器本体２０の各部を制御する。制御部２６のＲＯＭ等にはＵＳＢメモリ１１または、図示しないハードディスク装置等に記憶された音楽ファイルを音楽再生部２２等を制御して再生する際に用いる音楽ファイル再生制御用プログラムの他、各携帯型音楽再生装置１２、１３に対して音楽ファイルの再生や再生された音楽ファイルの転送等を制御するために用いる音楽ファイル再生制御用プログラムが記憶されている。制御部２６は、ＵＳＢ接続部２１を介して接続されたＵＳＢ機器１０に応じた音楽ファイル再生制御用プログラムに従って、ＵＳＢ機器１０に記憶された音楽ファイルを所定の再生制御手順に従って再生させ、スピーカ３０から音響出力するように制御する。
【００１５】
図２は、ＵＳＢコントローラ２１ｂの詳細を示す。
ＵＳＢコントローラ２１ｂは、車載バッテリの電源３８から電源供給を受ける５Ｖレギュレータ３９を有し、５Ｖレギュレータ３９には電源管理ＩＣ４０が接続されている。電源管理ＩＣ４０は、ＵＳＢコネクタ２１ａを経て、ＵＳＢ機器１０に電源の供給を行うと共に、ＵＳＢホストコントローラ４１に接続され、ＵＳＢホストコントローラ４１は、上記の制御部２６に接続されている。ＵＳＢ機器１０がバスケーブル１１ｂ、１２ｂ、１３ｂで接続されると、ＵＳＢ機器１０は、車載機器本体２０側（電源３８）から電源管理ＩＣ４０を経て、電源供給を受けて動作し、車載機器本体２０との間では双方向通信が実行される。このとき、バスケーブル１１ｂ、１２ｂ、１３ｂには、一般に、５Ｖ程度のバスパワーが存在し、この５Ｖは構造上、バスケーブル１１ｂ、１２ｂ、１３ｂのコネクタ端子に露出するため、コネクタ端子の破損等から特にショートし易い状態にある。ＵＳＢ接続型の場合、規格上５００ｍＡまでの電流制限があり、バスケーブルに異常が発生し、５００ｍＡを越えた場合、電源管理ＩＣ４０が過電流を検知し、通信線ａを介してＵＳＢホストコントローラ４１に通知し、ＵＳＢホストコントローラ４１が過電流を認識すると、電源管理ＩＣ４０に、通信線ｂを介して５Ｖの電源供給を止める信号を出力する。ｃはＵＳＢ機器１０との間の双方向通信線である。また、ＵＳＢホストコントローラ４１の異常は、制御部２６が検知する。
【００１６】
本実施の形態では、車載機器本体２０が、ラジオ再生モード、ＣＤ再生モードを備え、更に、ＵＳＢ接続時のＵＳＢモード、外部機器接続時のＡＵＸモードを備えて構成されている。制御部２６は、上記の各種のモードを、操作キー２５ｂ等の操作手段による、ユーザの操作に応じて、ディスプレイ装置２５ａに対し、ラジオ再生モード（ＲＡＤＩＯ）、ＣＤ再生モード（ＣＤ）、ＵＳＢモード（ＵＳＢ）、ＡＵＸモード（ＡＵＸ）を表す表記を、その順序でローテーション表示する。
【００１７】
図３は、ディスプレイ装置２５ａの表示画面遷移を示す。
通常時においては、図３Ａに示すように、ユーザの操作キー２５ｂ等の操作手段による操作に応じて、ディスプレイ装置２５ａに、ラジオ再生モード（ＲＡＤＩＯ）、ＣＤ再生モード（ＣＤ）、ＵＳＢモード（ＵＳＢ）、ＡＵＸモード（ＡＵＸ）の順にローテーション表示する。図３Ｂは、バスケーブル１１ｂ、１２ｂ、１３ｂ、又はＵＳＢホストコントローラ４１に異常が発生した場合のローテーション表示の一例である。
本実施の形態では、バスケーブル、又はＵＳＢホストコントローラ４１に異常が発生した場合、ローテーション表示の初回の操作に限っては、ラジオ再生モード（ＲＡＤＩＯ）、ＣＤ再生モード（ＣＤ）、ＵＳＢモード（ＵＳＢ）の異常を表示する表記（ＢＵＳ  ＥＲＲＯＲ  又はＣＯＮＴＲＯＬ  ＥＲＲＯＲ）、ＡＵＸモード（ＡＵＸ）の順にローテーション表示する。ユーザは、初回の操作に限って、ＵＳＢモード（ＵＳＢ）に異常が発生していることを、上記の表記（ＢＵＳ  ＥＲＲＯＲ  又はＣＯＮＴＲＯＬ  ＥＲＲＯＲ）によって確認できる。そして、初回を除いた次回以降のローテーション表示時には、図３Ｃに示すように、ラジオ再生モード（ＲＡＤＩＯ）、ＣＤ再生モード（ＣＤ）、ＡＵＸモード（ＡＵＸ）の順に、ＵＳＢモード（ＵＳＢ）の表示を飛ばしてローテーション表示する。本実施の形態では、使用できないモードを飛ばしてローテーション表示するため、ユーザは、選択したいモードを迅速に選択でき、使い勝手が向上する。
【００１８】
図４は、ローテーション表示の処理フローを示す。
ＡＣＣがオンされると（Ｓ１）、ローテーション表示に関し、Ｓ２以下の処理が開始される。したがって、Ｓ２以下の処理は、ＡＣＣがオフされると処理の停止となり、再び、ＡＣＣがオンされると、Ｓ２以下の処理が開始される。
ＡＣＣがオンされ（Ｓ１）、ローテーション表示を実行させるモード切換操作が行われると（Ｓ２）、ＵＳＢモードに異常が発生したか否か、すなわちバスケーブル１１ｂ、１２ｂ、１３ｂ、又はＵＳＢホストコントローラ４１に異常が発生したか否かが判定される（Ｓ３）。この異常が発生してなければ、次のモードに移行し（Ｓ４）、ラジオ再生モード（ＲＡＤＩＯ）、ＣＤ再生モード（ＣＤ）、ＵＳＢモード（ＵＳＢ）、ＡＵＸモード（ＡＵＸ）の順にローテーション表示される。Ｓ３で、異常（エラー発生中）があれば、モード切換操作による次のモードが、ＵＳＢモードか否かが判定され（Ｓ５）、ＵＳＢモードであれば、ＵＳＢモードへの移行の１回目か否か、すなわち、ローテーション表示の初回の操作か否かが判断される（Ｓ６）。
【００１９】
初回の操作でなければ、次のモードに移行し（Ｓ７）、ローテーション表示の初回の操作あれば、ＵＳＢモードに移行する（Ｓ８）。
そして、バスケーブル１１ｂ、１２ｂ、１３ｂのエラーか否かが判定され（Ｓ９）、バスケーブル１１ｂ、１２ｂ、１３ｂのエラーであれば、図３Ｂに示すように、ＵＳＢモード（ＵＳＢ）の異常のうち、バスケーブル１１ｂ、１２ｂ、１３ｂのエラーを表示する表記（ＢＵＳ  ＥＲＲＯＲ）が行われる（Ｓ１０）。また、バスケーブル１１ｂ、１２ｂ、１３ｂのエラーでなく、すなわちＵＳＢホストコントローラ４１のエラーであれば、図３Ｂに示すように、ＵＳＢホストコントローラ４１のエラーを表示する表記（ＣＯＮＴＲＯＬ  ＥＲＲＯＲ）が行われる（Ｓ１１）。
ＵＳＢモードの異常の種類に応じて、上記の表記の形態を異ならせるため、ユーザは、異常の種類を容易に認識できる。
【００２０】
本実施の形態では、ＵＳＢモード（ＵＳＢ）に異常が発生した場合、バスケーブル１１ｂ、１２ｂ、１３ｂのエラーか、ＵＳＢホストコントローラ４１のエラーかを判定し、ローテーション表示の初回の操作に限って、バスケーブル１１ｂ、１２ｂ、１３ｂのエラー、又はＵＳＢホストコントローラ４１のエラーを表示する表記（ＢＵＳ  ＥＲＲＯＲ  又はＣＯＮＴＲＯＬ  ＥＲＲＯＲ）を行い、次回以降の操作時には、ＵＳＢモード（ＵＳＢ）の表示を飛ばしてローテーション表示し、しかも、ＡＣＣが一旦オフされ、ＡＣＣが再度オンされると、再び、初回の操作に限って、ＵＳＢモード（ＵＳＢ）の異常を表示する表記（ＢＵＳ  ＥＲＲＯＲ  又はＣＯＮＴＲＯＬ  ＥＲＲＯＲ）を行い、次回以降の操作時には、ＵＳＢモード（ＵＳＢ）の表示を飛ばして、ローテーション表示する構成としたため、ユーザは、その都度、初回の操作に限って、ＵＳＢモード（ＵＳＢ）の異常を確認することができる。
【図面の簡単な説明】
【００２１】
【図１】本実施の形態に係る車載機器のブロック図である。
【図２】同ＵＳＢコントローラを示すブロック図である。
【図３】Ａ，Ｂ，Ｃはディスプレイ装置の表示画面遷移を示す図である。
【図４】ローテーション表示の処理フローを示すフローチャートである。
【符号の説明】
【００２２】
１０  ＵＳＢ機器
１１  ＵＳＢメモリ
１１ａ  ＵＳＢ接続端子
１２、１３  携帯型音楽再生装置
１２ａ、１３ａ  ＵＳＢ接続端子
１１ｂ、１２ｂ、１３ｂ  バスケーブル
２０  車載機器
２１  ＵＳＢ接続部（接続部）
２２  音楽再生部
２２ａ  デコーダ
２２ｂ  ＤＲＡＭ
２３  オーディオＤＳＰ
２４  音声出力部
２４ａ  Ｄ／Ａコンバータ
２４ｂ  アンプ
２５  操作表示部
２５ａ  ディスプレイ装置
２６  制御部（再生制御部、通常再生制御部）
３０  スピーカ
４１  ＵＳＢホストコントローラ
【図１】
2012025214.tif 000003
【図２】
2012025214.tif 000004
【図３】
2012025214.tif 000005
【図４】
2012025214.tif 000006